(57)【要約】【課題】地震発生時に天井ボードが破壊、破損して落下することがないような耐震構造の天井装置を提供する。【解決手段】主天井下地１を建物躯体Ｒの四側壁面Ｗから離れて位置するように天井スラブＳから吊り下げた状態に設け、主天井下地１の周辺部には天井周辺側下地２を、主天井下地１から独立して主天井下地１の上位側又は下位側に位置するように建物躯体Ｒの四側壁面Ｗに固定して設け、主天井下地１に主天井ボード３を取り付けると共に、天井周辺側下地２には天井周辺ボード４を、主天井ボード３の周辺部に対し上下方向に一定間隔をおいて一部重なり合うように取り付ける。【選択図】図１
2005133440.tif 000002
【特許請求の範囲】
【請求項１】
主天井下地を建物躯体の四側壁面から離れて位置するように天井スラブから吊り下げた状態に設け、この主天井下地の周辺部には天井周辺側下地を、主天井下地から独立して主天井下地の上位側又は下位側に位置するように前記四側壁面に固定して設け、主天井下地に主天井ボードを取り付けると共に、天井周辺側下地には天井周辺ボードを、主天井ボードの周辺部に対し上下方向に一定間隔をおいて一部重なり合うように取り付けてなる天井装置。
【請求項２】
主天井ボードと天井周辺ボードとの隙間に断熱材を装填してなる請求項１に記載の天井装置。
【請求項３】
主天井ボードと天井周辺ボードとの隙間の入口側にカーテンを設けてなる請求項１又は２に記載の天井装置。
【請求項４】
天井周辺側下地は、建物躯体の側壁面に取り付けられる取付用縦材と野縁受け用横材とで略Ｌ字状に形成された複数個の野縁受け金具、及び野縁受け金具の横材下面側に取り付けられる複数の天井周辺ボード支持用野縁からなる請求項１〜３の何れかに記載の天井装置。
【請求項５】
野縁受け金具には野縁受け用横材の下面側に、天井周辺ボード支持用野縁に係合してこの係合状態で野縁を横材下面側に取り付けるための係合部を一体形成してなる請求項４に記載の天井装置。
【発明の詳細な説明】
【技術分野】
【０００１】
本発明は、建物の天井装置に関する。
【背景技術】
【０００２】
従来の天井装置としては、特許公報等の公知文献を具体的に挙げることは出来ないが、一般に、建物躯体の天井スラブに吊りボルトを垂設し、この吊りボルトの下端部に取り付けたハンガーで野縁受けを保持し、この野縁受けにクリップを介して天井ボード支持用の野縁を取り付けることによって天井下地を形成し、この天井下地の野縁に天井ボードを取り付けるようにしてなるものである。
【０００３】
而して、従来の天井装置においては、天井下地が建物躯体の四側壁面に接した状態に配設され、つまり野縁受け及び野縁の夫々の端部が建物躯体の壁面に殆ど接するように形成されると共に、野縁に取り付けられて天井を被う天井ボードは、建物躯体の壁面との間に隙間が出来ないように、天井ボードの周縁部を建物躯体の側壁面にくっつけた状態に取り付けられている。
【発明の開示】
【発明が解決しようとする課題】
【０００４】
上記のような従来の天井装置の構成によると、建物躯体と天井下地及び天井ボードとが一体となっているため、地震発生時に躯体の揺れが天井下地及び天井ボードに直接伝わって、天井ボードが破壊、破損して落下するという問題があった。
【０００５】
本発明は、上記の課題に鑑み、地震発生時に天井ボードが破壊、破損して落下することがないような耐震構造の天井装置を提供することを目的とする。
【課題を解決するための手段】
【０００６】
上記課題を解決するための手段を、後述する実施形態の参照符号を付して説明すると、請求項１に係る発明は、主天井下地１を建物躯体Ｒの四側壁面Ｗから離れて位置するように天井スラブＳから吊り下げた状態に設け、この主天井下地１の周辺部には天井周辺側下地２を、主天井下地１から独立して主天井下地１の上位側又は下位側に位置するように前記四側壁面Ｗに固定して設け、主天井下地１に主天井ボード３を取り付けると共に、天井周辺側下地２には天井周辺ボード４を、主天井ボード３の周辺部に対し上下方向に一定間隔をおいて一部重なり合うように取り付けてなることを特徴とする。
【０００７】
請求項２は、請求項１に記載の天井装置において、主天井ボード３と天井周辺ボード４との隙間２１に断熱材２２を装填してなることを特徴とする。
【０００８】
請求項３は、請求項１又は２に記載の天井装置において、主天井ボード３と天井周辺ボード４との隙間２１の入口側にカーテン２３を設けてなることを特徴とする。
【０００９】
請求項４は、請求項１〜３の何れかに記載の天井装置において、天井周辺側下地２は、建物躯体Ｒの側壁面Ｗに取り付けられる取付用縦材５と野縁受け用横材６とで略Ｌ字状に形成された複数個の野縁受け金具７、及び野縁受け金具７の横材下面側に取り付けられる複数の天井周辺ボード支持用野縁８からなることを特徴とする。
【００１０】
請求項５は、請求項４に記載の天井装置において、野縁受け金具７には野縁受け用横材６の下面側に、天井周辺ボード支持用野縁８に係合してこの係合状態で野縁８を横材６下面側に取り付けるための係合部９を一体形成してなることを特徴とする。
【発明の効果】
【００１１】
上記解決手段による発明の効果を、後述する実施形態の参照符号を付して説明すると、請求項１に係る発明によれば、天井装置を耐震構造としたから、地震が発生して建物躯体Ｒに揺れが生じても、その揺れは、天井周辺側下地２及び天井周辺ボード４にとどまり、主天井下地１及び主天井ボード３に直接伝わらず、また主天井下地１及び主天井ボード３が横に揺れても、主天井下地１及び主天井ボード３と四側壁面Ｗとの間に隙間２０があるため、この隙間で揺れが吸収され、また主天井下地１及び主天井ボード３が縦に揺れても、その揺れは天井周辺側下地２及び天井周辺ボード４との間の隙間２１で吸収され、従って主天井ボード３が破壊したり破損して落下するようなことがなく、被害を最小限にとどめることが出来る。
【００１２】
また、天井周辺ボード４は、その内周側部分が主天井ボード３の周辺部と重なり合っているから、主天井下地１と天井周辺側下地２との隙間２１から屋根裏部が室内側から見えず、外観を損なうようなことがない。
【００１３】
請求項２に係る発明によれば、主天井ボード３と天井周辺ボード４との隙間２１に断熱材２２を装填することにより、室内での火災発生時に屋根裏側への延焼を防止し、またエアコン使用時には上記隙間２１からの空気の出入りを阻止して室内の冷暖房を有効に行わせることが出来る。
【００１４】
請求項３に係る発明によれば、主天井ボード３と天井周辺ボード４との隙間２１の入口側にカーテン２３を設けることにより、隙間２１やこのスキル隙間２１に装填される断熱材２２が見えるようなことがなく、外観を損なうことがない。
【００１５】
請求項４に係る発明によれば、天井周辺側下地２が、取付用縦材５と野縁受け用横材６とで略Ｌ字状に形成された複数個の野縁受け金具７、及び野縁受け金具７に取り付けられる複数本の野縁８からなる簡単な構造であるため、製作コストが安くなると共に、建物躯体Ｒの側壁面Ｗへの取付けが容易となる。
【００１６】
請求項５に係る発明の天井装置によれば、野縁受け金具７に、野縁受け用横材６の下面側に係合部９を一体形成しているため、野縁８の取付けを簡単に行うことが出来て、作業能率を一層向上させることが出来る。
【発明を実施するための最良の形態】
【００１７】
以下に本発明の最良の実施形態を図面に基づいて説明すると、図１は本発明に係る天井装置を備えた建物躯体Ｒの縦断面図、図２は図１のＶ−Ｖ線断面図、図３は天井装置の一部拡大図、図４は主天井下地１を示す斜視図、図５の(a) は天井周辺側下地２の野縁受け金具７を示す正面図、(b) は(a) のＸ−Ｘ線断面図、(c) は(a) のＹ−Ｙ線断面図、(d)
は野縁受け金具７を形成する金属板材Ｍの展開図である。
【００１８】
本発明に係る天井装置は、図１に示すように、主天井下地１を建物躯体Ｒの四側壁面Ｗから適当に離れて位置するように天井スラブＳから吊り下げた状態に設け、この主天井下地１の周辺部には天井周辺側下地２を、主天井下地１から独立して主天井下地１の上位側に位置するように前記四側壁面Ｗに固定して設け、そして主天井下地１に主天井ボード３を取り付けると共に、天井周辺側下地２には天井周辺ボード４を、主天井ボード３の周辺部に対し上下方向に一定間隔をおいて一部重なり合うように取り付けてなるものである。この図１において、Ｆは建物躯体Ｒの床面を示す。尚、天井周辺ボード４及び主天井ボード３は、いずれも耐火ボードからなる。
【００１９】
上記天井装置の構造について更に詳細に説明すると、主天井下地１は、図１、図２及び図４から分かるように、建物躯体Ｒの天井スラブＳから垂下した多数の吊りボルト１１の夫々下端部に取り付けたハンガー１２によって保持される複数の野縁受け１３と、これら野縁受け１３に夫々クリップ１４を介して取り付けられる複数の主天井ボード支持用野縁１５とからなるもので、野縁１５に主天井ボード３が取り付けられるようになっている。野縁受け１３及び野縁１５は、夫々の端部が建物躯体Ｒの側壁面Ｗから例えば１００〜１５０ｍｍ程度離れるように配設される。つまり、この主天井下地１は、構成部材である野縁受け１３及び野縁１５が建物躯体Ｒの四側壁面Ｗから１００〜１５０ｍｍ程度離れた領域内に介在しないように設置される。
【００２０】
図４に示すように、各吊りボルト１１の上端部は、天井スラブＳに埋設されたインサートナット１７に螺着されている。また図１及び図４に示すように、隣合う吊りボルト１１，１１間には筋交い１６が張架され、また最端の吊りボルト１１には天井スラブＳとの間に筋交い１６が張架される。
【００２１】
天井周辺側下地２は、複数個の野縁受け金具７と、これら野縁受け金具７の横材６下面側に取り付けられる複数本の天井周辺ボード支持用野縁８と、からなるもので、各野縁受け金具７は、建物躯体Ｒの側壁面Ｗに取り付けられる取付用縦材５と野縁受け用横材６とによって略Ｌ字状に形成されており、そして野縁受け用横材の下面側には、図３に示すようにリップ付きチャンネル材からなる天井周辺ボード支持用野縁８に係合してこの係合状態で野縁８を横材下面側に取り付けるための係合部９が一体に形成されている。尚、野縁受け金具７の取付用縦材５の長さは例えば２００ｍｍ程度、野縁受け用横材６の長さは例えば３００ｍｍ程度に設定される。
【００２２】
野縁受け金具７は、図５の(d) に示すような略Ｌ字状に形取りされた展開状の金属板材Ｍをプレス加工して折り曲げることにより形成される。即ち、野縁受け金具形成用の金属板材Ｍには、その取付用縦材５側に折れ線ａ，ｂが設けてあり、野縁受け用横材６側には折れ線ｃ，ｄが設けられており、而して折れ線ａ，ｂに沿ってその両側部分を内側に折り曲げることにより、図５の(b) に示すように縦材本体部５ａと取付部片５ｂと補強部片５ｃとからなる断面略々Ｌ字状の取付用縦材５を形成し、また折れ線ｃ，ｄに沿ってその両側部分を内側に折り曲げることにより、図５の(c) に示すように横材本体部６ａと補強部片６ｂ，６ｂとからなる断面略コ字状の横材６を形成する。
【００２３】
また、野縁受け金具７には取付用縦材５の取付部片５ｂにビス挿通孔１８設けてある。この野縁受け金具７は、縦材本体部５ａと横材本体部６ａとの交差部の内隅部１９が使用時に応力集中を受けて破損しないように円弧状に形成されている。
【００２４】
次に、上記のような構成よりなる天井装置の施工について説明する
【００２５】
先ず、建物躯体Ｒの四側壁面Ｗに沿って天井周辺側下地２を設置する。即ち、野縁受け金具７を各側壁面Ｗに沿って水平方向に一定間隔おきに、例えば９００ｍｍのピッチで取り付け、これら野縁受け金具７の野縁受け用横材６に天井周辺ボード支持用野縁８を取り付ける。野縁受け金具７の取り付けにあたっては、取付用縦材５をビス１０（釘や鋲でもよい）によって側壁面Ｗに取付け固定する。
【００２６】
天井周辺ボード支持用野縁８は、図３に示すように野縁受け用横材６の基端側と先端側に取り付けるが、基端側では、当該横材６と一体に形成された係合部９を、リップ付きチャンネル材からなる野縁８に係合して、この係合状態で野縁８を横材６の基端部下面側に取り付けることができるから、野縁８の取付けが簡単となる。また、横材６の先端側では、主天井下地１の野縁１５の取付けに使用されるクリップ１４を利用して、野縁８を野縁受け用横材６の先端側に取り付ける。
【００２７】
上記のようにして天井周辺側下地２を建物躯体Ｒの四側壁面Ｗに取付固定したならば、主天井下地１を図１に示すように天井周辺側下地２の下位側に位置するように設置する。この主天井下地１の設置にあたっては、建物躯体Ｒの天井スラブＳから多数の吊りボルト１１を垂下し、これら吊りボルト１１の夫々下端部に取り付けてあるハンガー１２によって野縁受け１３を保持固定し、この野縁受け１３にクリップ１４を介して野縁１５を取り付ける。この場合、主天井下地１は、野縁１５が天井周辺側下地２の野縁８から５０〜１００ｍｍ程度下方へ位置するように設置する。
【００２８】
こうして主天井下地１を天井スラブＳから吊り下げた状態に設置すると共に主天井下地１の周辺部に天井周辺側下地２を主天井下地１の上位側で側壁面Ｗに固定して設けた後、主天井下地１の野縁１５に主天井ボード３を釘打ち等によって取り付け、また天井周辺側下地２の野縁８に天井周辺ボード４を同様に釘打ち等によって取り付ける。この時、主天井ボード３は、図１〜図３から分かるように、主天井ボード３の周辺部に対し、上下方向に５０〜１００ｍｍ程度の間隔をおいて部分的に重なり合った状態となっており、また主天井ボード３の外周縁と建物躯体Ｒの側壁面Ｗとの間には１００〜１５０ｍｍ程度の隙間２０が形成される。
【００２９】
また、主天井ボード３と天井周辺ボード４とが部分的に重なり合った両者間の隙間２１には、ガラスウールやロックウール等からなる断熱材２２を介装する。また、この隙間２１の入口側には断熱材２２が見えないようにするための、可撓性生地からなる化粧用カーテン２３を取り付ける。また、隙間２１に断熱材２２を介装せずに、隙間２１の入口側に化粧用カーテン２３を取り付けるだけでもよく、あるいは化粧用カーテン２３を取り付けず、隙間２１に断熱材２２を介装するだけでもよい。また、上記隙間２１に照明器具を設置して、室内に間接照明を施すようにすることができる。
【００３０】
図１及び図２に示される実施形態の天井装置では、天井周辺側下地２を主天井下地１の上位側に設けているが、図６は天井周辺側下地２を主天井下地１の下位側に設けた場合の天井装置を示す。この図６の天井装置は、天井周辺側下地２を主天井下地１の下位側に設けた点以外は、図１及び図２に示される天井装置を全く同じ構成であるため、図６には同一符号を付して、説明を省略する。
【００３１】
上述のように建物の天井部に設置される本発明の天井装置は、主天井下地１を建物躯体Ｒの四側壁面Ｗから離れて位置するように天井スラブＳから吊り下げた状態に設け、この主天井下地１の周辺部には、主天井下地１から独立した天井周辺側下地２を、主天井下地１の上位側又は下位側に位置するように四側壁面Ｗに固定して設け、主天井下地１に主天井ボード３を取り付けると共に、天井周辺側下地２には天井周辺ボード４を、主天井ボード３の周辺部に対し上下方向に一定間隔をおいて一部重なり合うように取り付けてなる耐震構造であるから、地震が発生して建物躯体Ｒに大きな揺れが生じても、その揺れは、天井周辺側下地２及び天井周辺ボード４にとどまり、主天井下地１及び主天井ボード３に直接伝わらず、また主天井下地１及び主天井ボード３が横に揺れても、この主天井下地１及び主天井ボード３と四側壁面Ｗとの間に隙間２０があるため、この隙間で揺れが吸収され、また主天井下地１及び主天井ボード３が縦に揺れても、その揺れは天井周辺側下地２及び天井周辺ボード４との間の隙間２１で吸収され、従って主天井ボード３が破壊、破損して落下するようなことがなくなる。
【００３２】
また、天井周辺ボード４は、その内周側部分が主天井ボード３の周辺部と重なり合うように配設されるため、主天井下地１と天井周辺側下地２との隙間２１（図３参照）から屋根裏部が室内側から見えるようなことがなく、外観を損なうことがない。そして、主天井ボード３と天井周辺ボード４との隙間２１に断熱材２２を装填することによって、室内で火災が発生した場合に屋根裏側への延焼を防止し、またエアコン使用時に上記隙間２１からの空気の出入りを阻止して室内の冷暖房を有効に行わせることが出来る。
【００３３】
また、天井周辺側下地２は、建物躯体Ｒの側壁面Ｗに取り付けられる取付用縦材５と野縁受け用横材６とで略Ｌ字状に形成された複数個の野縁受け金具７、及び野縁受け金具７の横材下面側に取り付けられる複数の天井周辺ボード支持用野縁８からなる簡単な構造であるため、製作コストが安くなると共に、側壁面Ｗへの取付けが容易となる。また、野縁受け金具７には、野縁受け用横材６の下面側に、天井周辺ボード支持用野縁８に係合してこの係合状態で野縁８を横材６下面側に取り付けるための係合部９を一体形成しているため、野縁８の取付けを簡単に行うことが出来て、作業能率が一層向上する。
【００３４】
尚、この実施形態では、野縁受け金具７の係合部９を、横材６の基端側の１箇所にしか形成していないが、基端側と先端側とに夫々形成することも出来る。また、係合部９の形状については、天井周辺ボード支持用野縁８に係合し得るものであれば、どのような形状でもよい。
【図面の簡単な説明】
【００３５】
【図１】本発明に係る天井装置を備えた建物躯体の縦断面図である。
【図２】図１のＶ−Ｖ線断面図である。
【図３】天井装置の一部拡大図である。
【図４】主天井下地を示す斜視図である。
【図５】(a) は天井周辺側下地の野縁受け金具を示す正面図、(b) は(a) のＸ−Ｘ線断面図、(c) は(a) のＹ−Ｙ線断面図、(d) は野縁受け金具を形成する金属板材の展開図である。
【図６】天井装置の他の実施形態を示す図１と同様な縦断面図である。
【符号の説明】
【００３６】
１            主天井下地
２            天井周辺側下地
３            主天井ボード
４            天井周辺ボード
５            取付用縦材
６            野縁受け用横材
７            野縁受け金具
８            天井周辺ボード支持用野縁
９            係合部
Ｒ            建物躯体
Ｗ            側壁面
Ｓ            天井スラブ
１１          吊りボルト
１２          ハンガー
１３          野縁受け
１４          クリップ
１５          主天井ボード支持用野縁
【図１】
2005133440.tif 000003
【図２】
2005133440.tif 000004
【図３】
2005133440.tif 000005
【図４】
2005133440.tif 000006
【図５】
2005133440.tif 000007
【図６】
2005133440.tif 000008